(57)【特許請求の範囲】
【請求項１】
一対の打ち合わせ部の一方に取り付けた凸部で、一対の他方の打ち合わせ部を互いに止めたり、外したりする打ち合わせ部の留め外し機構において、一対の打ち合わせ部の一方に打ち合わせ部の縁に開いたスリットを形成し、スリットの周縁に紐通し口を設けた紐通し部を形成し、紐通し部に紐を一周させ両端を結束してリング状にするか、あるいはスリットの周縁に紐両端を固定し、その紐を他方の打ち合わせ部に固定されたボタンや布片等凸部に引き掛けてスリットにボタンまたは凸部を引き入れることを特徴とする留め外し機構。
【請求項２】
ゴム紐等の弾性材をＵ字状にし、その両端を固定したことを特徴とする請求項１記載の留め外し機構。
【発明の詳細な説明】
【技術分野】
【０００１】  本発明は、一般の人や衣類、ペットの衣類、バック、靴など幅広く使われている留はずし機構に関する。
【背景技術】
【０００２】  従来は、衣類やバック、靴などの留める方法として、ボタンホールが使われているがボタンを留めたり外したりするのにボタンホールが小さく留めづらい。特許文献１では、小さな孔径の留め孔部に対しガイドスリットを介して大きな口径の合わせ孔部と掛け合手段を連関せしめていると記載されている。
【先行技術文献】
【０００３】
【特許文献１】  特許第４２４８２１１号公報
【発明の概要】
【発明が解決しようとする課題】
【０００４】  衣類やバック、靴などにつけられているボタンが、だれでも簡単にすばやく留めはずすることが片手でもできる、留はずし機構を提供する。
【課題を解決するための手段】
【０００５】  請求項１記載の本発明の留はずし機構は、一対の打ち合わせ部の一方に取り付けた凸部で、一対の他方の打ち合わせ部を互いに止めたり、外したりする打ち合わせ部の留め外し機構において、一対の打ち合わせ部の一方に打ち合わせ部の縁に開いたスリットを形成し、スリットの周縁に紐通し口を設けた紐通し部を形成し、紐通し部に紐を一周させ両端を結束してリング状にするか、あるいはスリットの周縁に紐両端を固定し、その紐を他方の打ち合わせ部に固定されたボタンや布片等凸部に引き掛けてスリットに凸部を引き入れることである。【０００６】請求項２記載の本発明の留はずし機構は、ゴム紐等の弾性材をＵ字状にし、その両端を固定したことである。
【発明の効果】
【０００７】  請求項１記載の本発明の留はずし機構は、スリットの周縁に紐通し部を設けリング状に紐を通すか、あるいはスリットの周縁に紐の両端を固定し、その紐を他方の打ち合わせ部に固定されたボタンや布片等凸部に引き掛けて凸部をスリットに引き入れると、ボタンや布片等凸部をボタンホールに押し通すことなく、凸部がスリットに引き入れられ凸部を留めて固定できる。また、単独の付属部品を作り、既存の衣類やバック、靴などに取り付けると、つけられているボタンや凸部の留め外しが、簡単にすばやく片手でもできる。【０００８】請求項２記載の本発明の留はずし機構は、ゴム紐等の弾性材をＵ字状にしてゴム紐の両端を固定したことで、ゴム紐の弾性によりＵ字状が大きく広がり、凸部の形状がどのような形状でも、片手で凸部の留め外しが簡単にすばやくできる。
【図面の簡単な説明】
【０００９】
【図１】  本発明の第一の実施例衣類の正面図。
【図２】  本発明の第一の実施例ボタンと留め外し機構の正面図。
【図３】  本発明の第一の実施例指先で紐を摘まんでいる正面図。
【図４】  本発明の第一の実施例ボタンを留めた正面図。
【図５】  本発明の第二の実施例布片と留め外し機構の正面図。
【図６】  本発明の第二の実施例布片を縫い付けた正面図。
【図７】  本発明の第三の実施例第一、第二の紐通し部のある正面図。
【図８】  本発明の第四の実施例ゴム紐に環状の持ち手をつけた正面図。
【図９】  本発明の第五の実施例単独の付属部品を衣類に縫い付けた正面図。
【図１０】  本発明の第五の実施例単独の付属部品にボタンを取り付けた正面図。
【図１１】  本発明の第五の実施例単独の付属部品に付いているボタンを衣類に留め付けた正面図。
【図１２】  本発明の第六の実施例スリットの周縁にゴム紐を縫い付けた正面図。
【発明を実施するための形態】
【００１０】  本発明の留付け機構の実施図を参照して説明する。
図１は衣類１の正面図を表わしたもので、衣類１の一対の打ち合わせ２Ａ，２Ｂの一方の打ち合わせ２Ａにボタン３を取り付け、他方の打ち合わせ２Ｂに留めはず機構を付けた衣類１で、凸部がボタン３であるとして記載する。一方の打ち合わせ２Ａにボタン３を付け、他方の打ち合わせ２Ｂの縁に開いたスリット４を形成する。スリット４は、ボタン３に合わせて切り開け、その周縁に紐通し口５を設けた紐通し部６をトンネル状に形成する。紐通し部６は紐７が緩く通る幅を取り、紐通し部６に紐７を一周させてその両端を結束９しリングにする。紐７の代わりにゴム紐でもよい。スリットの周縁の紐通し部６の縫製の仕方や張り付け方法などは、素材や使用目的に合った方法をもちいる。紐通し部６の周縁にステッチをしてもしなくてもよい。ボタン３を留める場合は、指１０で紐７を摘み、ボタン３を紐７に引き掛けるとスリット４にボタン３が引き入れられ留められ、簡単にすばやく片手でも留め外すことができる。
【００１１】  図２はボタンと留め外し機構の正面図を表わしたもので図２（ａ）は紐通し部の周縁に合わせ縫いをしたものである。
図２（ｂ）は紐通し部の周縁に合わせ縫いがないものである。
【００１２】  図３は指１０で紐７を摘まんでいる正面図を表わしたものである。
【００１３】  図４はボタン３を留めた正面図を表わしたもので、ボタン３がスリット４に引き込まれて留められている。
【００１４】  図５は布片１１と留め外し機構の正面図を表わしたもので、凸部が布片１１として記載する。布片１１を一方の打ち合わせ２Ａの固定部１２に縫い付ける。他方の打ち合わせ２Ｂの紐通し部６に通された紐７は、紐通し口５Ａから紐７を一周させ紐通し口５Ｂより引き出し、紐両端を合わせてストッパー８に通し紐先端を結束９してリング状にしたものである。ストッパー８を紐７に通すことで、布片１１のように形状が定まらないものでもしっかり留められ、留めはずしが簡単にできる。
【００１５】  図６は布片１１を留めた正面図を表わしたもので、ボタンホール１５ではボタンホールの大きさにより広がり方が決められてしまい留めづらいが、スリット４周縁の紐通し部６に紐７をリング状に通すことで、リングの形状が自由になり簡単に片手でも良く止まる。紐７の代わりにゴム紐でもよい
【００１６】  図７は第一、第二の紐通し部のある正面図を表わしたもので、衣類１の打ち合わせ２Ｂに前立て１４を付けて第一の紐通し部６Ａ、第二の紐通し部６Ｂを形成し、その第一の紐通し部６Ａ、に対向した第一の紐通し口５Ａ、５Ａ´を設け、第二の紐通し部６Ｂ、に対向した第二の紐通し口５Ｂ、５Ｂ´を設けて紐通し部６に紐７を一周させ、その紐先端を合わせてストッパー８を通して結束９し調整できるようにしたものである。調整できることでボタン３の留め外しがよりしやすくなる。前立て１４の代わりに身返しでもよい。
【００１７】  図８はゴム紐に環状の持ち手をつけた正面図を表わしたもので、衣類１の紐通し部６に通されているゴム紐１４に紐をくぐらせリング状にして環状の持ち手１７を作る。環状の持ち手を引くことによりゴム紐１４が広がり、ボタン３や布片１１の留め外しが片手でも簡単にできる。
【００１８】  図９は単独の付属部品１６を衣類に縫い付けた正面図を表わしたもので、留め外し機構の単独の付属部品１６は、柔軟なシート状部材の一部にスリット４を設け、スリット４の周縁に紐通し口５Ａ，５Ｂを設けた紐通し部６をトンネル状に形成してその紐通し部６に紐７が緩く通る幅を取り単独の付属部品とする。紐通し部６に紐７を一周させるか、または図１や図５、図８の紐の構造を使用することにより留めはずし機構の単独の部品１６が衣類１と一体となる。単独の付属部品１６の作り方は取り付ける製品により適した製造方法により作る。それを衣類やバック、靴等に縫い付ける。単独の付属部品１６を作ることにより、衣類にボタンホールのないものや、既存の衣類などにも単独の付属部品１６を縫い付けることで取り付けることができる。
【００１９】  図１０は単独の付属部品１６にボタン３Ｂを取り付けた正面図を表わしたもので、図９の単独の付属部品１６の一部にボタン３Ｂが付けられていることで既存の衣類を改良することなく、既存の衣類のボタンホールにボタン３Ｂを通すことにより、留めはずし機構が利用できるためのボタン３Ｂである。
【００２０】  図１１は単独の付属部品１６に付いているボタンを衣類に留め付けた正面図を表わしたもので、既存の衣類などもボタンホール１５のあるものには、単独の付属部品１６にボタン３Ｂが付いているとボタンホール１５にボタン３Ｂを留めて利用できるため、既存の衣類のボタン３Ａの留め外しがしやすくなる。
【００２１】  図１２はスリット４の周縁にゴム紐１４を縫い付けた正面図を表わしたもので、紐通し部を形成しなくてもスリット４の周縁にゴム紐１４の両端を固定部１２に止め付けることで、ボタン３の留め外しが簡単に片手でもできる。ゴム紐１４の代わりに紐でもよい。この実施例は衣類１について記載したが、靴やバック、ペットの衣類などにも幅広く利用できる。
【符号の説明】
【００２２】  １    衣類
２    打ち合わせ
３    ボタン
４    スリット
５    紐通し口
６    紐通し部
７    紐
８    ストッパー
９    結束
１０  指
１１  布片
１２  固定部
１３  前立て
１４  ゴム紐
１５  ボタンホール
１６  単独の付属部品
１７  環状の持ち手
【図１】
0005265753.tif 000002
【図２】
0005265753.tif 000003
【図３】
0005265753.tif 000004
【図４】
0005265753.tif 000005
【図５】
0005265753.tif 000006
【図６】
0005265753.tif 000007
【図７】
0005265753.tif 000008
【図８】
0005265753.tif 000009
【図９】
0005265753.tif 000010
【図１０】
0005265753.tif 000011
【図１１】
0005265753.tif 000012
【図１２】
0005265753.tif 000013